(57)【要約】【課題】水タンクの注水口を開閉する開閉部材の損傷を防止できる冷水器を備えた冷蔵庫を提供する。【解決手段】貯蔵室３を開閉する扉３ａの背面上部に設けられて開閉部材１８により開閉される注水口１７を上面に開口する水タンク１３と、扉３ａの前面に設けられるとともに水タンク１３に連結して水タンク１３内の水を取水する取水部１１と、を有する冷水器１０を備えた冷蔵庫１において、開閉部材１８はスライド移動して注水口１７を開閉するとともに、注水口１７を開いた所定位置で着脱自在にした。【選択図】図３
2011012834.tif 000002
【特許請求の範囲】
【請求項１】
貯蔵室を開閉する扉の背面上部に設けられて開閉部材により開閉される注水口を上面に開口する水タンクと、前記扉の前面に設けられるとともに前記水タンクに連結して前記水タンク内の水を取水する取水部と、を有する冷水器を備えた冷蔵庫において、前記開閉部材はスライド移動して前記注水口を開閉するとともに、前記注水口を開いた所定位置で着脱自在にしたことを特徴とする冷蔵庫。
【請求項２】
前記水タンクは、前記注水口を開口する蓋部と、上面を前記蓋部により塞がれて前記注水口からの注水を貯水する貯水部とを備え、前記蓋部の前記扉側及び前記貯蔵室側に左右に延びる溝部を形成するとともに前記開閉部材が内面から前後方向に突出して前記溝部に係合する突起部を有し、前記溝部と前記突起部との係合深さが前記所定位置で前記注水口を閉じた位置よりも浅いことを特徴とする請求項１に記載の冷蔵庫。
【請求項３】
前記水タンクの上面は前記注水口を開口して前記貯蔵室側が下がる傾斜面を有することを特徴とする請求項１または請求項２に記載の冷蔵庫。
【請求項４】
前記扉は前記貯蔵室の左右方向の一端に枢支され、前記開閉部材は前記注水口を閉じた位置が開いた位置よりも前記扉の枢支側から離れることを特徴とする請求項１〜請求項３のいずれかに記載の冷蔵庫。
【発明の詳細な説明】
【技術分野】
【０００１】
本発明は、冷水器を備えた冷蔵庫に関する。
【背景技術】
【０００２】
従来の冷蔵庫は特許文献１に開示されている。この冷蔵庫は貯蔵室を開閉する扉の前面から取水する冷水器を備えている。冷水器は扉の背面上部に配される水タンクと扉の前面に凹設される取水部とを有し、取水部の上部に設けられる取水口が扉を貫通する給水パイプにより水タンクに連結されている。
【０００３】
水タンクは上面に注水口が開口し、水タンクに設けた開閉部材によって注水口が開閉される。開閉部材は水タンクの上面に枢支され、先端を上方に持ち上げて注水口が開かれる。給水パイプには止水弁が設けられ、取水部の背面には止水弁を開閉するボタンが設けられる。
【０００４】
開閉部材を開いて水タンクに注水して開閉部材を閉じ、扉を閉じると水タンク内の水が冷却される。使用者が取水口の下方にコップ等の容器を設置してボタンを押圧すると止水弁が開かれる。これにより、取水口を介して水タンク内の冷水を容器内に取水することができる。そして、容器をボタンから離すと止水弁が閉じられる。
【先行技術文献】
【特許文献】
【０００５】
【特許文献１】特開２００６−１５３３６６号公報（第３頁−第６頁、第１図）
【発明の概要】
【発明が解決しようとする課題】
【０００６】
しかしながら、上記従来の冷蔵庫によると、使用者が水タンクの開閉部材を閉じ忘れると、扉を閉じた際に先端が上方に配された開閉部材が貯蔵室の上壁に衝突する。これにより、開閉部材が損傷する問題があった。
【０００７】
本発明は、水タンクの注水口を開閉する開閉部材の損傷を防止できる冷水器を備えた冷蔵庫を提供することを目的とする。
【課題を解決するための手段】
【０００８】
上記目的を達成するために本発明は、貯蔵室を開閉する扉の背面上部に設けられて開閉部材により開閉される注水口を上面に開口する水タンクと、前記扉の前面に設けられるとともに前記水タンクに連結して前記水タンク内の水を取水する取水部と、を有する冷水器を備えた冷蔵庫において、前記開閉部材はスライド移動して前記注水口を開閉するとともに、前記注水口を開いた所定位置で着脱自在にしたことを特徴としている。
【０００９】
この構成によると、開閉部材をスライドして開いて注水口から水タンク内に注水される。水タンク内に注水して開閉部材を閉じて扉が閉じられると水タンク内の水が冷却される。取水部にコップ等の容器を配して水タンク内の冷水が取水される。開閉部材は注水口を開いた所定位置に配置してスライドさせることにより装着される。また、開閉部材は該所定位置で脱着して清掃等が行われる。
【００１０】
また本発明は、上記構成の冷蔵庫において、前記水タンクは、前記注水口を開口する蓋部と、上面を前記蓋部により塞がれて前記注水口からの注水を貯水する貯水部とを備え、前記蓋部の前記扉側及び前記貯蔵室側に左右に延びる溝部を形成するとともに前記開閉部材が内面から前後方向に突出して前記溝部に係合する突起部を有し、前記溝部と前記突起部との係合深さが前記所定位置で前記注水口を閉じた位置よりも浅いことを特徴としている。
【００１１】
この構成によると、水タンクは貯水部の上面を蓋部で塞ぎ、蓋部に注水口が開口する。蓋部の扉側と貯蔵室側に設けた溝部に開閉部材の突起部が係合して開閉部材が左右方向にスライドする。開閉部材は注水口を開く所定位置で溝部と突起部との係合深さが浅く形成され、この位置で容易に着脱することができる。
【００１２】
また本発明は、上記構成の冷蔵庫において、前記水タンクの上面は前記注水口を開口して前記貯蔵室側が下がる傾斜面を有することを特徴としている。この構成によると、注水口は向かって手前側が低く奥側が高くなるので、注水口の奥へ水をこぼさずに容易に注水することができる。
【００１３】
また本発明は、上記構成の冷蔵庫において、前記扉は前記貯蔵室の左右方向の一端に枢支され、前記開閉部材は前記注水口を閉じる位置が開く位置よりも前記扉の枢支側から離れることを特徴としている。この構成によると、回動する扉の遠心力が開閉部材を閉じる方向に加わる。このため、注水口の開閉を繰り返して摩耗により開閉部材と水タンクとの嵌合が緩くなっても、開閉部材の開成が防止される。
【発明の効果】
【００１４】
本発明によると、開閉部材がスライド移動して注水口を開閉し、注水口を開いた所定位置で着脱自在にしたので、使用者が水タンクの開閉部材を閉じ忘れた場合でも開閉部材と貯蔵室の上壁との衝突が回避される。従って、開閉部材の損傷を防止することができる。また、開閉部材の着脱を容易に行うことができるため、水タンクの組立工数を削減できるとともに開閉部材の清掃を行うことができる。
【図面の簡単な説明】
【００１５】
【図１】本発明の実施形態の冷蔵庫を示す正面図
【図２】本発明の実施形態の冷蔵庫の扉を開いた状態を示す斜視図
【図３】本発明の実施形態の冷蔵庫の冷水器の水タンクを示す分解斜視図
【図４】本発明の実施形態の冷蔵庫の冷水器の水タンクを示す側面断面図
【図５】本発明の実施形態の冷蔵庫の扉の要部を示す側面断面図
【図６】本発明の実施形態の冷蔵庫の冷水器の取水部を示す側面断面図
【図７】本発明の実施形態の冷蔵庫の冷水器の取水部の底部を示す側面断面図
【図８】本発明の実施形態の冷蔵庫の冷水器の水受皿の脱着状態を示す側面断面図
【図９】本発明の実施形態の冷蔵庫の冷水器の取水部の取水時の状態を示す側面断面図
【発明を実施するための形態】
【００１６】
以下に本発明の実施形態を図面を参照して説明する。図１は一実施形態の冷蔵庫を示す正面図である。冷蔵庫１は上部に冷凍室２が配され、冷凍室２の下方に冷蔵室３が配される。冷凍室２及び冷蔵室３の前面はそれぞれ左右方向の一端で枢支される扉２ａ、３ａにより開閉される。冷蔵室３の扉３ａの前面には冷水器１０の取水部１１が凹設される。
【００１７】
図２は冷蔵庫１の扉２ａ、３ａを開いた状態を示す斜視図である。冷蔵室３の扉３ａの背面側には複数のドアポケット４が設けられ、上段には冷水器１０の水タンク１３が配される。
【００１８】
図３、図４は水タンク１３の分解斜視図及び側面断面図を示している。水タンク１３は上面を開口して水を貯水する貯水部１４と、パッキン１６を介して貯水部１４の上面を覆う着脱自在の蓋部１５とを有している。蓋部１５を脱着して貯水部１４の清掃を行うことができる。
【００１９】
蓋部１５の左右方向の中央部には冷蔵室３の内部側に偏って上方に突出する突出部１５ａが設けられる。突出部１５ａは奥側（扉３ａ側）が高く手前側（冷蔵室３側）が低く形成され、突出部１５ａの上面は冷蔵室３側が下がる傾斜面１５ｂに形成される。突出部１５ａに開口する注水口１７は上部が広く下部が狭い漏斗状に形成され、注水口１７を介して貯水部１４内に注水される。
【００２０】
突出部１５ａには注水口１７を開閉する開閉部材１８が取り付けられる。突出部１５ａの奥側及び手前側の面には左右方向に延びる溝部１５ｃが形成される。開閉部材１８は突出部１５ａに沿った断面アーチ状に形成され、奥側の壁面が手前側よりも高くなっている。
【００２１】
開閉部材１８の内面には溝部１５ｃに係合する突起部１８ａが前後の内面のそれぞれ左右端に前後方向に突出して設けられる。溝部１５ｃに突起部１８ａが係合して開閉部材１８が左右にスライド自在に設けられる。この時、開閉部材１８は注水口１７を閉じる位置が開く位置よりも扉３ａの枢支側から離れるようにスライドする。
【００２２】
開閉部材１８が左右にスライド移動するため、閉じ忘れた際に冷蔵室３の上壁３ｆ（図５参照）との衝突を回避することができる。加えて、突出部１５ａによって水タンク１３の上面と冷蔵室３の上壁３ｆとが近接し、水タンク１３上の塵埃の堆積を低減することができる。
【００２３】
更に、回動する扉３ａの遠心力が開閉部材１８を閉じる方向に加わる。このため、注水口１７の開閉を繰り返して摩耗により開閉部材１８と蓋部１５との嵌合が緩くなっても、開閉部材１８の開成が防止される。従って、扉３ａを開閉した際の注水口１７からの漏水を防止し、長期信頼性の高い冷蔵庫１が得られる。
【００２４】
注水口１７は傾斜面１５ｂに形成されて上部を広く開口するので、容易に注水することができる。また、注水口１７の下部の開口面積を狭くしたので、開閉部材１８を閉じ忘れた際に貯水部１４からの水の飛び出しを低減することができる。
【００２５】
また、冷蔵室３の内部に突出する水タンク１３の上面が傾斜面１５ｂによって冷蔵室３側が下がる。これにより、注水口１７の開口面は水タンク１３に向かって手前側（冷蔵室３側）が低く奥側（扉３ａ側）が高いので、注水口１７の奥側へ水がこぼれにくく更に容易に注水することができる。加えて、水タンク１３の組立て装着時に水タンク１３の寸法ばらつきによる水タンク１３と冷蔵室３の上壁３ｆ（図５参照）との衝突を回避することができる。
【００２６】
突出部１５ａには注水口１７から離れた位置で溝部１５ｃよりも浅い縦溝１５ｄが溝部１５ｃに連続して突起部１８ａと同じ間隔で形成される。このため、縦溝１５ｄの位置で溝部１５ｃと突起部１８ａとの係合深さが注水口１７を閉じた位置よりも浅くなる。
【００２７】
開閉部材１８の着脱持には縦溝１５ｄの位置に突起部１８ａが配される。そして、開閉部材１８の奥側の壁面に手指を配して手前側の突起部１８ａを中心に奥側の突起部１８ａを縦溝１５ｄに沿って回動させる。これにより、開閉部材１８を簡単に着脱することができる。このため、水タンク１３の組立てを容易にできるとともに開閉部材１８の清掃を行うことができる。
【００２８】
図５は扉３ａの要部を示す側面断面図である。扉３ａは前面に配される装飾板３ｂと背面に配される背面板３ｃとの間に発泡断熱材３ｄを充填して形成される。冷水器１０の取水部１１は前面を開口した樹脂成形品の箱状の枠部２１により外枠が形成される。枠部２１を装飾板３ｂに設けた開口に配した状態で発泡断熱材３ｄを充填することにより、枠部２１が固定される。
【００２９】
冷水器１０の水タンク１３の貯水部１４の底面には給水口１４ａが設けられる。取水部１１の上部には取水口３０ａを開口するノズル３０が設けられる。ノズル３０はバルブ保持部２４により保持されるバルブ３２の先端に配され、後述するアーム３５（図６参照）により支持される。バルブ保持部２４は後方に突出して扉３ａを貫通するパイプ部２４ａが設けられる。水タンク１３の給水口１４ａとパイプ部２４ａとが給水パイプ１２により接続され、水タンク１３が取水口３０ａに連結される。
【００３０】
また、扉３ａの背面には給水パイプ１２を覆うパイプカバー１９が設けられる。パイプカバー１９によって給水パイプ１２を隠蔽して冷蔵室３内の美感を向上するとともに、冷蔵室３内から取り出される食品の衝突による給水パイプ１２の脱落を防止する。
【００３１】
図６は冷水器１０の取水部１１の詳細を示す側面断面図である。枠部２１の前面には樹脂成形品から成るフレーム２２が係合爪（不図示）による係合によって固定される。フレーム２２によって取水部１１の背壁１１ｂが形成される。フレーム２２の上部は開口してレバー保持部２３が枠部２１にネジ止めされる。レバー保持部２３は軸部３４ａを上部に有したレバー３４を枢支する。レバー３４は後述するように下方に延びて押圧により回動する。枠部２１及びフレーム２２の左右方向の中央には後方に回動したレバー３４との干渉を回避する凹部２１ｂ、２２ａが設けられる。
【００３２】
また、レバー保持部２３はレバー３４の軸部３４ａの上方でアーム３５を枢支する。アーム３５は後端が下方に屈曲した断面Ｌ字状に形成され、レバー３４の軸部３４ａよりも上部に後端面が当接する。アーム３５の前部は前方が開口する平面視コ字状に形成され、ノズル３０の周面に突設した係合突起（不図示）に係合する。
【００３３】
レバー保持部２３の上部にはバルブ保持部２４が前方からネジ止めされる。バルブ保持部２４の背面のパイプ部２４ａはレバー保持部２３及び枠部２１に設けた挿通孔２３ａ、２１ａに挿通され、前述したように扉３ａを貫通する。バルブ保持部２４の前部は下方に屈曲し、先端の開口面にＯリング２６を介してスリーブ２５が螺設される。
【００３４】
スリーブ２５の下部はバルブ保持部２４の下方で縮径された縮径部２５ａを有し、縮径部２５ａにバルブ３２が挿通される。バルブ３２は放射状のリブ（不図示）によって縮径部２５ａ内でリブ間に軸方向の通路を形成し、上端に拡径した鍔部３２ａが形成される。バルブ３２の上端面とバルブ保持部２４の内面との間には圧縮バネ３３が設けられ、バルブ３２が下方に付勢される。これにより、鍔部３２ａが縮径部２５ａの上端面にＯリング３１を介して当接し、水タンク１３からの水を止水する。
【００３５】
レバー３４の下部を後方に押圧するとレバー３４の上部に当接するアーム３５が図中、反時計回りに回動する。これにより、アーム３５に当接するノズル３０が圧縮バネ３３の付勢力に抗してバルブ３２とともに上方に押し上げられ、水タンク１３からの水がノズル３０の取水口３０ａから流出する。
【００３６】
ノズル３０の取水口３０ａの開口面は後方が下がるように傾斜する。このため、止水時にノズル３０等に残留した水は取水口３０ａの後端から滴下する。また、バルブ保持部２４を前方からネジを外してバルブ３２やノズル３０と一体に取り外すことができる。これにより、バルブ３２とスリーブ２５間のゴミの除去やＯリング２６、３１の交換を行うことができる。
【００３７】
取水部１１の前面上部にはフレーム２２に取り付けられる前面カバー２７が配される。前面カバー２７はバルブ保持部２４やノズル３０等の前面を覆うとともにノズル３０の下方を覆ってこれらを隠蔽し、取水部１１の美感を向上する。また、前面カバー２７の下面には取水口３０ａに対向する開口部２７ａが形成されている。
【００３８】
取水部１１の背壁１１ｂを形成するフレーム２２の背面部分は水平断面が円弧状で下方が前方に傾斜する傾斜面２２ｂを有している。傾斜面２２ｂは取水部１１の底部から上方に延びてノズル３０の近傍まで形成される。枠部２１は傾斜面２２ｂに沿って傾斜して形成される。このため、取水部１１の背面側の発泡断熱材３ｄの厚みを大きくすることができ、扉３ａの背面側の突出量を削減して断熱厚さを確保することができる。従って、冷蔵庫１の容積効率を向上することができる。
【００３９】
また、傾斜面２２ｂの下端及びレバー３４の下端は取水口３０ａの後端を通る鉛直線Ａよりも後方に配される。これにより、取水口３０ａの後端から滴下する水滴が傾斜面２２ｂやレバー３４で跳ね返って取水部１１よりも前方に飛散することを防止できる。従って、床面の浸水を防止することができる。
【００４０】
フレーム２２の底部には水受皿４０が配される。図７は取水部１１の底部の詳細を示す側面断面図である。水受皿４０の前面には使用者が把持する把手部４０ａが形成される。フレーム２２は傾斜面２２ｂの下端から後方に凹む凹部２２ｃが形成される。凹部２２ｃの前端には傾斜面２２ｂの下端から後方が上がるように傾斜する下端面を有した係合突起２２ｄが形成される。
【００４１】
水受皿４０は背壁４０ｂが係合突起２２ｄに係合し、凹部２２ｃ内に入り込んでフレーム２２に装着される。この時、水受皿４０の背壁４０ｂは傾斜面２２ｂの下端よりも後方に配される。図８に示すように、把手部４０ａを把持して上方に回動させると、水受皿４０は係合突起２２ｄとの係合を解除して脱着される。
【００４２】
上記構成の冷蔵庫１において、開閉部材１８を開いて注水口１７から貯水部１４に注水し、開閉部材１８が閉じられる。扉３ａを閉じると貯水部１４内の水が冷却される。図９に示すように使用者が取水部１１内に配したコップ等の容器Ｃによりレバー３４を押圧すると、ノズル３０とともにバルブ３２が上昇する。これにより、ノズル３０の取水口３０ａから容器Ｃに水タンク１３内の冷水Ｗが供給される。
【００４３】
容器Ｃをレバー３４から離すとバルブ３２が下降して止水される。この時、ノズル３０等に残留する水が取水口３０ａから滴下する。取水口３０ａから滴下する水滴は取水部１１の背面の傾斜面２２ｂやレバー３４に衝突せずに水受皿４０に導かれる。
【００４４】
また、水受皿４０で跳ね返った水滴が傾斜面２２ｂに付着すると傾斜面２２ｂ上を流下して水受皿４０に回収される。この時、凹部２２ｃに装着された水受皿４０の背壁４０ｂは傾斜面２２ｂの下端よりも後方に配される。このため、傾斜面２２ｂを流下する水滴はフレーム２２と水受皿４０との隙間への侵入が防止される。また、係合突起２２ｄの下端面は後方が上がるように傾斜するため、傾斜面２２ｂを流下する水滴を水切りして確実に水受皿４０上に落下させることができる。水受皿４０に溜まった水は水受皿４０を脱着して排水される。
【００４５】
本実施形態によると、開閉部材１８が水タンク１３上をスライド移動して注水口１７を開閉し、注水口１７を開いた所定位置で着脱自在にしたので、使用者が水タンク１３の開閉部材１８を閉じ忘れた場合でも開閉部材１８と冷蔵室３の上壁３ｆとの衝突が回避される。従って、開閉部材１８の損傷を防止することができる。また、開閉部材１８を簡単に着脱できるため、水タンク１３の組立工数を削減できるとともに開閉部材１８の清掃を行うことができる。
【００４６】
また、蓋部１５の扉３ａ側及び冷蔵室３側に左右に延びる溝部１５ｃと、開閉部材１８の内面から前後方向に突出する突起部１８ａとの係合深さが所定位置（縦溝１５ｄの位置）で注水口１７を閉じた位置よりも浅いので、縦溝１５ｄの位置に突起部１８ａを配置して容易に開閉部材１８を着脱することができる。
【００４７】
また、水タンク１３の上面が注水口１７を開口して冷蔵室３側が下がる傾斜面１５ｂを有するので、注水を容易に行うことができる。また、水タンク１３の組立て装着時に水タンク１３の寸法ばらつきによる水タンク１３と冷蔵室３の上壁３ｆ（図５参照）との衝突を回避することができる。従って、水タンク１３の組立工数をより削減することができる。
【００４８】
また、開閉部材１８は注水口１７を閉じる位置が開く位置よりも扉の枢支側から離れるので、回動する扉３ａの遠心力が開閉部材１８を閉じる方向に加わる。このため、扉３ａを開閉した際の開閉部材１８の開成が防止され、注水口１７からの漏水を防止して長期信頼性の高い冷蔵庫１が得られる。
【００４９】
また、取水口３０ａの開口面を後方が下がるように傾斜したので、取水口３０ａの後端から水滴が滴下する。このため、水受皿４０上に滴下した水滴の反射による取水部１１よりも前方への水滴の飛散を低減することができる。また、取水部１１の底面を形成する水受皿４０の扉３ａの前方への突出量を小さくすることができる。これにより、水受皿４０が使用者の邪魔にならず冷蔵庫１の使用性を向上できるとともに、冷蔵庫１の梱包を容易にすることができる。
【００５０】
尚、水受皿４０の底面を後方が下がるように傾斜するとより望ましい。これにより、水受皿４０上に滴下した水滴を取水部１１の背面に向けて反射させることができ、取水部１１よりも前方への水滴の飛散をより確実に防止することができる。
【産業上の利用可能性】
【００５１】
本発明によると、冷水器を備えた冷蔵庫に利用することができる。
【符号の説明】
【００５２】
１    冷蔵庫
２    冷凍室
２ａ、３ａ  扉
３    冷蔵室
３ｄ  発泡断熱材
３ｆ  上壁
１０    冷水器
１１    取水部
１２    給水パイプ
１３    水タンク
１４    貯水部
１５    蓋部
１５ｂ  傾斜面
１５ｃ  溝部
１８    開閉部材
１８ａ  突起部
１９    パイプカバー
２１    枠部
２１ｂ、２２ａ、２２ｃ  凹部
２２    フレーム
２２ｂ  傾斜面
２２ｄ  係合突起
２３    レバー保持部
２４    バルブ保持部
２５    スリーブ
２６、３１  Ｏリング
２７    前面カバー
３０    ノズル
３０ａ  取水口
３２    バルブ
３３    圧縮バネ
３４    レバー
３５    アーム
４０    水受皿
【図１】
2011012834.tif 000003
【図２】
2011012834.tif 000004
【図３】
2011012834.tif 000005
【図４】
2011012834.tif 000006
【図５】
2011012834.tif 000007
【図６】
2011012834.tif 000008
【図７】
2011012834.tif 000009
【図８】
2011012834.tif 000010
【図９】
2011012834.tif 000011